(57)【特許請求の範囲】
【請求項１】
一般式（Ｖ）：
【化１】
0006748093.tif 000047
［式中、
Ｍは、Ｈ、金属カチオン、アンモニウムカチオンＮ（ＨｋＲ５ｍ）からなる群から選択され、
（ここで、
各Ｒ５は、−Ｈ、１〜１８の炭素原子を有する置換または非置換、飽和または不飽和脂肪族基からなる群から選択され、そして、
ｋは、０、１、２、３、４から選択される整数であり、そして、
ｍ＝４−ｋであり）、
式中、
Ｒ１、Ｒ２は独立に、水素原子、ＳＯ３Ｍ基、ＣＯＯＭ基、ＮＯ２基、それぞれ１２までの炭素原子を有する非置換または置換アミドまたはスルホンアミド基またはスルホン基を表し、ここで、置換基は、ＣＯＯＭ、ＯＨ、ＯＣＨ３、ＮＨ２、Ｃｌ、ＣＯＯＣＨ３、ＣＯＯＣＨ２ＣＨ３、ＣＨ３、ＣＨ２ＣＨ２ＣＯＯＭ、（ＣＨ２）３ＣＯＯＭおよびＣＨ２ＯＣＨ２ＣＯＯＭからなる群から選択され、
式中、
Ｒ３、Ｒ４は独立に、水素原子、それぞれ１〜６の炭素原子を有するアルキル−またはアルコキシ基、それぞれ６までの炭素原子を有する非置換または置換アミドまたはスルホンアミド基を表し、ここで、置換基は、ＣＯＯＭ、ＯＨ、ＯＣＨ３、ＮＨ２、Ｃｌ、ＣＯＯＣＨ３、ＣＯＯＣＨ２ＣＨ３、ＣＨ３、ＣＨ２ＣＨ２ＣＯＯＭ、（ＣＨ２）３ＣＯＯＭおよびＣＨ２ＯＣＨ２ＣＯＯＭからなる群から選択され、
ただし、Ｒ３及びＲ４の少なくとも１つは水素原子ではなく、
式中、
Ａは、一般式（ＶＩ）：
【化２】
0006748093.tif 000048
（式中、
Ｒ６、Ｒ７、Ｒ８、Ｒ９、Ｒ１０は独立に、水素原子、ＳＯ３Ｍ基、ＮＯ２基、ニトリル基、アミノ基、ＣＯＯＭ基、ハロゲン原子、エステル基、それぞれ１〜２の炭素原子を有するアルキルまたはアルコキシ基、それぞれ６までの炭素原子を有する非置換または置換アミドまたはスルホンアミド基またはスルホン基を表し、ここで、置換基は、ＣＯＯＭ、Ｃｌ、ＯＨ、ＯＣＨ３、ＣＯＯＣＨ３、ＣＯＯＣＨ２ＣＨ３、ＣＨ３、ＣＨ２ＣＨ２ＣＯＯＭ、（ＣＨ２）３ＣＯＯＭおよびＣＨ２ＯＣＨ２ＣＯＯＭからなる群から選択される；）
の部分を表すか、
または、Ａは、一般式（ＶＩＩ）：
【化３】
0006748093.tif 000049
（式中、
ｏは、０または１であり、そして、
Ｒ１１、Ｒ１２、Ｒ１３、Ｒ１４は独立に、水素原子、ＳＯ３Ｍ基、ＮＯ２基、ＣＯＯＭ基、６までの炭素原子を有する非置換または置換アミドまたはスルホンアミド基を表し、ここで、置換基は、ＣＯＯＭ、ＯＨ、ＯＣＨ３、ＮＨ２、Ｃｌ、ＣＯＯＣＨ３、ＣＯＯＣＨ２ＣＨ３、ＣＨ３、ＣＨ２ＣＨ２ＣＯＯＭ、（ＣＨ２）３ＣＯＯＭおよびＣＨ２ＯＣＨ２ＣＯＯＭからなる群から選択される；）
の部分を表す］
のトリスアゾ色素。
【請求項２】
Ｍが、請求項１において定義される通りであり、
Ｒ１、Ｒ２が独立に、水素原子、ＳＯ３Ｍ基、ＣＯＯＭ基、それぞれ６までの炭素原子を有する非置換または置換アミドまたはスルホンアミド基を表し、ここで、置換基が、ＣＯＯＭ、ＣＯＯＣＨ３、ＣＯＯＣＨ２ＣＨ３、ＣＨ３、ＣＨ２ＣＨ２ＣＯＯＭ、（ＣＨ２）３ＣＯＯＭおよびＣＨ２ＯＣＨ２ＣＯＯＭからなる群から選択され、
Ｒ３、Ｒ４が独立に、水素原子、それぞれ１〜２の炭素原子を有するアルキル−またはアルコキシ基、それぞれ６までの炭素原子を有する非置換または置換アミドまたはスルホンアミド基を表し、ここで、置換基が、ＣＯＯＭ、ＯＨ、ＯＣＨ３、ＣＯＯＣＨ３、ＣＯＯＣＨ２ＣＨ３、ＣＨ３、ＣＨ２ＣＨ２ＣＯＯＭ、（ＣＨ２）３ＣＯＯＭおよびＣＨ２ＯＣＨ２ＣＯＯＭからなる群から選択され、
ただし、Ｒ３及びＲ４の少なくとも１つは水素原子ではなく、
Ａが、一般式（ＶＩ）：
【化４】
0006748093.tif 000050
（式中、
Ｒ６、Ｒ１０が独立に、水素原子、ＳＯ３Ｍ基、ＮＯ２基、ＣＯＯＭ基を表し、
そして、
Ｒ７、Ｒ９が独立に、水素原子、ＣＯＯＭ基を表し、
そして、
Ｒ８が、水素原子、ＳＯ３Ｍ基、ＮＯ２基、６までの炭素原子を有する置換アミドまたはスルホンアミド基またはスルホン基を表し、ここで、置換基が、ＣＯＯＭ、ＯＨ、ＯＣＨ３、ＮＨ２、Ｃｌ、ＣＯＯＣＨ３、ＣＯＯＣＨ２ＣＨ３、ＣＨ３、ＣＨ２ＣＨ２ＣＯＯＭ、（ＣＨ２）３ＣＯＯＭおよびＣＨ２ＯＣＨ２ＣＯＯＭからなる群から選択される）
の部分を表す、
請求項１に記載の一般式（Ｖ）のトリスアゾ色素。
【請求項３】
Ｍ、Ｒ１、Ｒ２、Ｒ３、Ｒ４が、請求項２において定義される通りであり、
Ａが、一般式（ＶＩ）：
【化５】
0006748093.tif 000051
（式中、
Ｒ６、Ｒ１０が独立に、水素原子、ＳＯ３Ｍ基、ＮＯ２基を表し、
そして、
Ｒ７、Ｒ９が、水素原子を表し、
そして、
Ｒ８が、ＳＯ３Ｍ基、ＮＯ２基、６までの炭素原子を有する置換アミドまたはスルホンアミド基を表し、ここで、置換基が、ＣＯＯＭ、ＣＯＯＣＨ３、ＣＯＯＣＨ２ＣＨ３、ＣＨ３、ＣＨ２ＣＨ２ＣＯＯＭ、（ＣＨ２）３ＣＯＯＭおよびＣＨ２ＯＣＨ２ＣＯＯＭからなる群から選択される）
の部分を表す、
請求項１または請求項２に記載の一般式（Ｖ）のトリスアゾ色素。
【請求項４】
Ｍが、請求項１において定義される通りであり、
Ｒ１、Ｒ２が独立に、水素原子、またはＣＯＯＭ基を表し、
Ｒ３、Ｒ４が独立に、水素原子、それぞれ１〜２の炭素原子を有するアルキル−またはアルコキシ基を表し、ただし、Ｒ３及びＲ４の少なくとも１つは水素原子ではなく、
Ａが、一般式（ＶＩ）：
【化６】
0006748093.tif 000052
（式中、
Ｒ６、Ｒ１０が独立に、水素原子、ＳＯ３Ｍ基、またはＮＯ２基を表し、
そして、
Ｒ７、Ｒ９が、水素原子を表し、
そして、
Ｒ８が、ＳＯ３Ｍ基、ＮＯ２基、６までの炭素原子を有する置換アミドまたはスルホンアミド基またはスルホン基を表し、ここで、置換基が、ＣＨ３、ＣＨ２ＣＨ２ＣＯＯＭ、（ＣＨ２）３ＣＯＯＭおよびＣＨ２ＯＣＨ２ＣＯＯＭからなる群から選択される）
の部分を表す、
請求項１から３のいずれか一項に記載の一般式（Ｖ）のトリスアゾ色素。
【請求項５】
Ｍが、請求項１において定義される通りであり、
Ｒ１、Ｒ２、Ｒ３、Ｒ４が、請求項４において定義される通りであり、
Ａが、前記一般式（ＶＩ）の部分を表し、そして、Ｒ６、Ｒ７、Ｒ９、Ｒ１０が、請求項４において定義される通りであり、
そして、
Ｒ８が、ＮＯ２基、ＮＨＣＯＣＨ３基、ＮＨＣＯＣＨ２ＣＨ２ＣＯＯＭ基、ＮＨＣＯ（ＣＨ２）３ＣＯＯＭ基またはＮＨＣＯＣＨ２ＯＣＨ２ＣＯＯＭ基を表す、
請求項１から４のいずれか一項に記載の一般式（Ｖ）のトリスアゾ色素。
【請求項６】
一般式（ＶＩＩＩ）：
【化７】
0006748093.tif 000053
（式中、Ｒ１およびＲ２は、請求項１において定義される通りである）
のアミンをジアゾ化し、その後、一般式（ＩＸ）：
【化８】
0006748093.tif 000054
（式中、Ｒ３およびＲ４は請求項１において定義される通りである）
の化合物と、一般式（Ｘ）：
【化９】
0006748093.tif 000055
（式中、Ｒ１、Ｒ２、Ｒ３およびＲ４は、請求項１において定義される通りである）
の中間体色素の形成下、１．０と３．０との間にあるｐＨの酸値にてカップリングし、前記一般式（Ｘ）の中間体色素をジアゾ化し、その後、Ｋ酸（ＣＡＳ：１３０−２３−４）と、一般式（ＸＩＩ）：
【化１０】
0006748093.tif 000056
（式中、Ｒ１、Ｒ２、Ｒ３およびＲ４は請求項１において定義される通りであり、ＭはｐＨ値を規定されるｐＨ範囲に維持するためにカップリング反応の間に用いられる塩基のカチオンである）
の中間体色素の形成下、０．５と２．０との間にあるｐＨの酸値にてカップリングし、この一般式（ＸＩＩ）の色素中間体を、その後、一般式（ＸＩＩＩ）：
【化１１】
0006748093.tif 000057
（式中、Ｒ６、Ｒ７、Ｒ８、Ｒ９およびＲ１０は、請求項１において定義される通りであり、Ｘは、ジアゾ化の間に用いられる酸のアニオンである）
または一般式（ＸＩＶ）：
【化１２】
0006748093.tif 000058
（式中、ｏ、Ｒ１１、Ｒ１２、Ｒ１３およびＲ１４は、請求項１において定義される通りであり、Ｘは、ジアゾ化の間に用いられる酸のアニオンである）
のジアゾニウム化合物と、５．０と９．０との間にあるｐＨの中性の値にてカップリングし、一般式（Ｖ）：
【化１３】
0006748093.tif 000059
の色素をもたらす、請求項１に記載の一般式（Ｖ）の発明のトリスアゾ色素の調製方法。
【請求項７】
記録シート上にテキストまたはイメージを記録する方法であって、記録シート上に、請求項１から５のいずれか一項に記載の黒色トリスアゾ色素または黒色トリスアゾ色素の混合物を塗布することによる、方法。
【請求項８】
天然または合成繊維素材、ナノ多孔質材料、または革を染色する方法であって、それらに、請求項１から５のいずれか一項に記載の黒色トリスアゾ色素または黒色トリスアゾ色素の混合物を塗布することによる、方法。
【請求項９】
天然または合成繊維素材、ナノ多孔質材料、革、またはアルミニウムに印刷する方法であって、それらに、請求項１から５のいずれか一項に記載の黒色トリスアゾ色素または黒色トリスアゾ色素の混合物を塗布することによる、方法。
【請求項１０】
請求項１から５のいずれか一項に記載の少なくとも１つのトリスアゾ色素またはトリスアゾ色素の混合物を含む、インクジェット印刷用または筆記用具用の記録液。
【請求項１１】
さらに１つ以上の他の色素を含む、請求項１０に記載のインクジェット印刷用または筆記用具用の記録液。
【請求項１２】
請求項１から５のいずれか一項に記載の少なくとも１つのトリスアゾ色素またはトリスアゾ色素の混合物を含む、液体色素調製物。
【請求項１３】
液相が、該１つ以上のトリスアゾ色素を含み、前記液相中の該色素の量が、前記液相の総重量に基づいて０．５〜２０重量％の範囲内にある、請求項１２に記載の液体色素調製物。
【請求項１４】
前記液相が、さらに、以下の成分：Ｎ−メチル−２−ピロリドン、２−ピロリドン、２−ヘキシルピロリドン、ヒドロキシエチル−ピロリドン、１，２−ヘキサンジオール、１，２−ブタンジオール、トリメチロールプロパン、ジエチレングリコール−モノブチルエーテル、トリエチレングリコール−モノブチルエーテル、ジプロピレングリコール−モノブチルエーテル、グリセリン、乳酸ブチル、スルホラン、グリコールエーテル溶媒、殺生物剤、の１つ以上を、前記液相の総重量に基づいて０．０１〜５０重量％の範囲にて含む、請求項１２または１３に記載の液体色素調製物。
【請求項１５】
液体水性媒体中に請求項１から５のいずれか一項に記載のトリスアゾ色素の１つ以上を含む液体を、基材上に塗布する方法であって、少なくとも以下の工程：
ａ）基材を提供する工程、および、
β）前記色素を含有する液体を含む貯蔵器を提供する工程、
γ）前記色素を含有する液体の少なくとも一部を、前記貯蔵器から前記基材へと移す工程、および、
δ）水、および該当する場合は他の任意の溶媒を、前記基材から除く工程、
を含む、方法。
【請求項１６】
Ａ．基材と、
Ｂ．請求項１から５のいずれか一項に記載の少なくとも１つのトリスアゾ色素を含む層と、
を含む、印刷物。
【請求項１７】
インクジェット印刷用または筆記用具用のインクにおける、または、光学または光電子用途のためのカラーフィルタの製造用の染色液における、請求項１から５のいずれか一項に記載の色素の使用。
【発明の詳細な説明】
【技術分野】
【０００１】
本発明は、新規なトリスアゾ黒色色素およびそれらの塩、それらの調製方法ならびに染色および印刷作業におけるそれらの使用に関する。本発明はまた、これらのトリスアゾ色素を含有する液体色素調製物、特に、インクジェット印刷用および筆記用具用の水性記録液に関する。
【背景技術】
【０００２】
現代のインクジェットプリンタの速度は、経済的理由から着実に上昇しなければならない。かかるプリンタ用の特に好適な記録シートは、例えば、二酸化ケイ素（ｓｉｌｉｃｉｕｍ  ｄｉｏｘｉｄｅ）、酸化／水酸化アルミニウム、酸化アルミニウムまたはそれらの混合物などのナノ多孔質無機化合物を含む。かかる記録シートは「ナノ多孔質記録シート」として知られている。これらの記録シート上に印刷されるイメージは、悪条件下においてさえも良好な貯蔵安定性を有する必要がある。これは、きめ細やかなインクのシステム、それぞれその中に含有される色素の使用によってのみ達成することができる。
【０００３】
現在まで、これらのイメージは、要求される特性のすべてを満足するものではない。特に、これらの記録シート上に印刷されるイメージの、耐水性、耐光性、オゾン安定性、色調および明度は、満足なものではない。したがって、特に黒色色調を有する領域における、これらの記録シート上に印刷されるイメージの、上記の特性を改良するような、新たな色素が求められている。
【０００４】
これに加えて、工業用インクジェットは、包装および食品包装産業においてますます重要になっている。かかる部門においては、耐水性、耐光性および安全な成分の使用が、必須である。また、これらの特性が、使用される記録媒体に対して独立して同じであることも要求される。
【０００５】
非常に多数の黒色色素が既にインクジェット印刷用黒色色素として提案されている。しかし、要求される特性のすべてを満たすものはない。
【０００６】
これに加えて、色素は、良好な水溶性を示し、人体および環境に安全である必要がある。
【０００７】
以下の黒色色素が、工業用インクジェットプリンタにおいてしばしば用いられている。
【０００８】
式（Ｉ）：
【化１】
0006748093.tif 000002
（Ｉ）アシッドブラック１
を有するシー・アイ・アシッドブラック（Ｃ．Ｉ．Ａｃｉｄ  Ｂｌａｃｋ）１。
【０００９】
この色素は青みを帯び過ぎており、標準的普通紙に印刷した場合に、耐水性に劣る。
【００１０】
【化２】
0006748093.tif 000003
（ＩＩ）シー・アイ・ダイレクトブラック（Ｃ．Ｉ．Ｄｉｒｅｃｔ  Ｂｌａｃｋ）１９。
【００１１】
良好な耐水性を示すダイレクトブラック１９は、通常、種々の副産物を含有する混合物として入手可能であり、試験されて変異原性であると記載されている（米国特許第５３４０９２９号明細書）。
【００１２】
非常に多数の黒色色素が、米国特許第５４２３９０６号明細書および米国特許出願公開第２０１２／００９０５０３号明細書におけるように、インクジェット印刷用黒色色素として既に提案されている。しかし、要求される特性のすべてを満たすものはない。
【００１３】
様々なタイプのインク組成物が提案されている。典型的なインクは、１つ以上の色素または顔料、水、有機共溶媒およびその他の添加剤を含む。
【００１４】
インクは以下の基準を満たさなければならない。
（１）インクは、いずれのタイプの記録シート上にも優良品質のイメージを与える。
（２）インクは、良好な耐水性を示す印刷イメージを与える。
（３）インクは、良好な耐光性を示す印刷イメージを与える。
（４）インクは、良好なオゾン耐性を示す印刷イメージを与える。
（５）インクは、優れた汚れ挙動を示す印刷イメージを与える。
（６）インクは、高温多湿条件下で優れた貯蔵安定性を示す印刷イメージを与える。
（７）インクは、記録が長期間停止されている間キャップをせずに維持された場合であっても、インクジェットプリンタの噴射ノズルを詰まらせない。
（８）インクは、その質を低下させずに長期間貯蔵することができる。
（９）インクは、非毒性、不燃性かつ安全でなければならない。
【発明の概要】
【発明が解決しようとする課題】
【００１５】
本発明の目的は、黒色の、できる限りニュートラルな（ｎｅｕｔｒａｌ）色調を有する、新規な黒色トリスアゾ色素、ならびにそれらの、水性インク、特に、インクジェット印刷用および筆記用具用の記録液における使用を提供することである。それらは、イメージの調製のためのインクジェット印刷または迅速に乾燥するナノ多孔質記録シート上の着色において、特に有利である。高い着色強度を有するこれらの新規な黒色トリスアゾ色素は、水性製剤中での優れた溶解性を有し、それらは、特にインクジェット印刷において良好な全体的特性を有するイメージまたは着色を与え、それらは、鮮明な色調を有するイメージを提供し、イメージの鮮明さは、高温多湿条件下での長期間の貯蔵の間に低下しないか、わずかに低下するだけである。イメージはまた、良好な耐光性および優れたオゾン耐性を示し、にじみにくさもある。
【００１６】
本発明のさらなる目的は、いずれのタイプの記録シート上においてもスペクトル的に不変の色調を与える、液体色素調製物、特に、インクジェット印刷用および筆記用具用のインクを提供することである。
【００１７】
本発明のさらなる目的は、いずれもが、上記有利な特性のうち少なくともいくつか、好ましくはすべてを有する、色素および／または染色組成物、例えば、インク、記録液、織物用着色剤ならびに光学および／または光電子用途のためのカラーフィルタの製造用の染色液を製造する方法を提供することである。さらに、本発明の目的は、好ましくは揮発性有機溶媒を用いずに、少なくとも１つの色素を有する染色組成物、例えば、インク、記録液、または織物用着色剤を、基材に塗布する方法を提供することである。
【００１８】
本発明のさらなる目的は、上記の要求される特性のすべてを有するインクを提供することである。
【発明を実施するための形態】
【００１９】
本発明は、一般式（Ｖ）：
【化３】
0006748093.tif 000004
［式中、
Ｍは、水素原子、金属カチオン、または、それぞれ１〜１８のＣ原子を有する１つ以上のアルキルもしくは置換アルキル基によって任意に置換されていてもよいアンモニウムカチオンを表し；
式中、
Ｒ１、Ｒ２は独立に、水素原子、ＳＯ３Ｍ基、ＣＯＯＭ基、ハロゲン原子、ＮＯ２基、エステル基、それぞれ１〜６の炭素原子を有するアルキル−またはアルコキシ基、それぞれ１２までの炭素原子を有する非置換または置換アミドまたはスルホンアミド基を表し、ここで、置換基は、ＣＯＯＭ、ＯＨ、ＯＣＨ３、ＮＨ２、Ｃｌ、ＣＯＯＣＨ３、ＣＯＯＣＨ２ＣＨ３、ＣＨ３、ＣＨ２ＣＨ２ＣＯＯＭ、（ＣＨ２）３ＣＯＯＭおよびＣＨ２ＯＣＨ２ＣＯＯＭからなる群から選択され、
式中、
Ｒ３、Ｒ４は独立に、水素原子、それぞれ１〜６の炭素原子を有するアルキル−またはアルコキシ基、それぞれ６までの炭素原子を有する非置換または置換アミドまたはスルホンアミドまたはスルホンアミド基を表し、ここで、置換基は、ＣＯＯＭ、ＯＨ、ＯＣＨ３、ＮＨ２、Ｃｌ、ＣＯＯＣＨ３、ＣＯＯＣＨ２ＣＨ３、ＣＨ３、ＣＨ２ＣＨ２ＣＯＯＭ、（ＣＨ２）３ＣＯＯＭおよびＣＨ２ＯＣＨ２ＣＯＯＭからなる群から選択され、
式中、
Ａは、一般式（ＶＩ）：
【化４】
0006748093.tif 000005
（式中、
Ｒ６、Ｒ７、Ｒ８、Ｒ９、Ｒ１０は独立に、水素原子、ＳＯ３Ｍ基、ＮＯ２基、アミノ基、ＣＯＯＭ基、ハロゲン原子、エステル基、それぞれ１〜２の炭素原子を有するアルキルまたはアルコキシ基、それぞれ６までの炭素原子を有する非置換または置換アミドまたはスルホンアミド基を表し、ここで、置換基は、ＣＯＯＭ、ＯＨ、ＯＣＨ３、ＣＯＯＣＨ３、ＣＯＯＣＨ２ＣＨ３、ＣＨ３、ＣＨ２ＣＨ２ＣＯＯＭ、（ＣＨ２）３ＣＯＯＭおよびＣＨ２ＯＣＨ２ＣＯＯＭからなる群から選択される；）
の部分を表すか、または、
Ａは、一般式（ＶＩＩ）：
【化５】
0006748093.tif 000006
（式中、
ｏは、０または１であり、
そして、
Ｒ１１、Ｒ１２、Ｒ１３、Ｒ１４は独立に、水素原子、ＳＯ３Ｍ基、ＮＯ２基、ＣＯＯＭ基、６までの炭素原子を有する非置換または置換アミドまたはスルホンアミド基を表し、ここで、置換基は、ＣＯＯＭ、ＯＨ、ＯＣＨ３、ＮＨ２、Ｃｌ、ＣＯＯＣＨ３、ＣＯＯＣＨ２ＣＨ３、ＣＨ３、ＣＨ２ＣＨ２ＣＯＯＭ、（ＣＨ２）３ＣＯＯＭおよびＣＨ２ＯＣＨ２ＣＯＯＭからなる群から選択される）
の部分を表す］
の新規なトリスアゾ色素に関する。
【００２０】
一般式（Ｖ）のトリスアゾ色素であって、式中、Ｍが、上記に定義される通りであり、
Ｒ１、Ｒ２が独立に、水素原子、ＳＯ３Ｍ基、またはＣＯＯＭ基、６までの炭素原子を有する非置換または置換アミドまたはスルホンアミド基を表し、ここで、置換基が、ＣＯＯＭ、ＯＨ、ＯＣＨ３、ＮＨ２、Ｃｌ、ＣＯＯＣＨ３、ＣＯＯＣＨ２ＣＨ３、ＣＨ３、ＣＨ２ＣＨ２ＣＯＯＭ、（ＣＨ２）３ＣＯＯＭおよびＣＨ２ＯＣＨ２ＣＯＯＭからなる群から選択され；
Ｒ３、Ｒ４が独立に、水素原子、それぞれ１〜２の炭素原子を有するアルキルまたはアルコキシ基、６までの炭素原子を有する非置換または置換アミドまたはスルホンアミド基を表し、ここで、置換基が、ＣＯＯＭ、ＯＨ、ＯＣＨ３、ＮＨ２、Ｃｌ、ＣＯＯＣＨ３、ＣＯＯＣＨ２ＣＨ３、ＣＨ３、ＣＨ２ＣＨ２ＣＯＯＭ、（ＣＨ２）３ＣＯＯＭおよびＣＨ２ＯＣＨ２ＣＯＯＭからなる群から選択され；
Ａが、上記に定義される通り、一般式（ＶＩ）：
【化６】
0006748093.tif 000007
（式中、
Ｒ６、Ｒ１０が独立に、水素原子、ＳＯ３Ｍ基、ＮＯ２基、ＣＯＯＭ基（より好ましくは、独立に、水素原子、ＳＯ３Ｍ基、ＮＯ２基）を表し、
そして、
Ｒ７、Ｒ９が独立に、水素原子、ＣＯＯＭ基を表し（より好ましくは両者が、水素原子を表し）、
そして、
Ｒ８が、水素基、ＳＯ３Ｍ基、ＮＯ２基、６までの炭素原子を有する置換アミドまたはスルホンアミド基を表し、ここで、置換基が、ＣＯＯＭ、ＯＨ、ＯＣＨ３、ＮＨ２、Ｃｌ、ＣＯＯＣＨ３、ＣＯＯＣＨ２ＣＨ３、ＣＨ３、ＣＨ２ＣＨ２ＣＯＯＭ、（ＣＨ２）３ＣＯＯＭおよびＣＨ２ＯＣＨ２ＣＯＯＭからなる群から選択される（より好ましくは、ＳＯ３Ｍ基、ＮＯ２基、上記の通りの置換アミドまたはスルホンアミド基））
の部分を表すものが、好ましい。
【００２１】
一般式（Ｖ）のトリスアゾ色素であって、式中、Ｍが、上記に定義される通りであり、
Ｒ１、Ｒ２が独立に、水素原子、またはＣＯＯＭ基を表し；
Ｒ３、Ｒ４が独立に、水素原子、それぞれ１〜２の炭素原子を有するアルキルまたはアルコキシ基を表し；
Ａが、上記に定義される通り、一般式（ＶＩ）：
【化７】
0006748093.tif 000008
（式中、
Ｒ６、Ｒ１０が独立に、水素原子、ＳＯ３Ｍ基、またはＮＯ２基を表し、
Ｒ７、Ｒ９が、水素原子を表し、
そして、
Ｒ８が、ＳＯ３Ｍ基、ＮＯ２基、６までの炭素原子を有する置換アミドまたはスルホンアミド基を表し、ここで、置換基が、ＣＨ３、ＣＨ２ＣＨ２ＣＯＯＭ、（ＣＨ２）３ＣＯＯＭおよびＣＨ２ＯＣＨ２ＣＯＯＭからなる群から選択される（もっとも好ましくは、Ｒ８が、ＮＯ２基、ＮＨＣＯＣＨ３基、ＮＨＣＯＣＨ２ＣＨ２ＣＯＯＭ基、ＮＨＣＯ（ＣＨ２）３ＣＯＯＭ基またはＮＨＣＯＣＨ２ＯＣＨ２ＣＯＯＭ基を表す））
の部分を表すものが、さらにより特に好ましい。
【００２２】
金属カチオンとしては、アルカリ金属（Ｌｉ、Ｎａ、Ｋ、Ｒｂ、Ｃｓ）のカチオン、アルカリ土類金属（Ｍｇ、Ｃａ、Ｓｒ、Ｂａ）のカチオン、および、それぞれ１〜４の炭素原子を有する１つ以上のアルキル基、または、それぞれ１〜６の炭素原子を有するヒドロキシ置換アルキルによって任意に置換されていてもよい、アンモニウムカチオンが、好ましい。
【００２３】
一般式（ＩＶ）のトリスアゾ色素の具体例は以下の通りであり、ここで、置換基Ｍは、表１において規定される通りである。
【００２４】
【化８】
0006748093.tif 000009
0006748093.tif 000010
0006748093.tif 000011
0006748093.tif 000012
0006748093.tif 000013
0006748093.tif 000014
0006748093.tif 000015
0006748093.tif 000016
0006748093.tif 000017
0006748093.tif 000018
【００２５】
調製した一般式（Ｖ）のトリスアゾ色素を、それらの水溶液中の吸収極大とともに表１に列挙する。
【００２６】
【表１】
0006748093.tif 000019
【００２７】
一般式（Ｖ）のトリスアゾ色素は、遊離酸形態におけるものであってもよく、または、それらの無機もしくは有機塩の形態におけるものであってもよい。好ましくは、それらは、それらのアルカリまたはアンモニウム塩の形態におけるものであり、ここで、アンモニウムカチオンは置換されていてもよい。かかる置換されたアンモニウムカチオンの例は、２−ヒドロキシエチルアンモニウム、ビス−（２−ヒドロキシエチル）−アンモニウム、トリス−（２−ヒドロキシエチル）−アンモニウム、ビス−（２−ヒドロキシエチル）−メチルアンモニウム、トリス−［２−（２−メトキシエトキシ）−エチル］−アンモニウム、８−ヒドロキシ−３，６−ジオキサオクチルアンモニウムおよびテトラアルキルアンモニウム、例えば、テトラメチルアンモニウムまたはテトラブチルアンモニウムである。
【００２８】
本発明は、一般式（Ｖ）の純粋なトリスアゾ色素に関するのみならず、これらのトリスアゾ色素の混合物にも関する。
【００２９】
本発明はまた、本発明による一般式（Ｖ）のトリスアゾ色素の調製方法にも関し、ここで、一般式（ＶＩＩＩ）：
【化９】
0006748093.tif 000020
（式中、Ｒ１およびＲ２は、上記に定義される通りである）のアミンを、ジアゾ化し、その後、一般式（ＩＸ）：
【化１０】
0006748093.tif 000021
（式中、Ｒ３およびＲ４は、上記に定義される通りである）の化合物と、一般式（Ｘ）：
【化１１】
0006748093.tif 000022
の中間体色素の形成下、約１．０と３．０との間にあるｐＨの酸値にて、カップリングする。
【００３０】
一般式（Ｘ）の中間体色素（式中、Ｒ１、Ｒ２、Ｒ３およびＲ４は、上記に定義される通りである）を、ジアゾ化し、その後、Ｋ酸と、一般式（ＸＩＩ）：
【化１２】
0006748093.tif 000023
（式中、Ｒ１、Ｒ２、Ｒ３およびＲ４は、上記に定義される通りであり、Ｍは、カップリング反応の間にｐＨを維持するために使用される塩基の金属カチオンである）の中間体色素の形成下、０．５と２．０との値の間にある酸性ｐＨにて、カップリングする。
【００３１】
一般式（ＸＩＩ）の中間体色素を、さらに、一般式（ＸＩＩＩ）：
【化１３】
0006748093.tif 000024
（式中、Ｒ６、Ｒ７、Ｒ８、Ｒ９およびＲ１０は、上記に定義される通りである）
または、一般式（ＸＩＶ）：
【化１４】
0006748093.tif 000025
（式中、ｏ、Ｒ１１、Ｒ１２、Ｒ１３およびＲ１４は、上記に定義される通りであり、Ｘは、ジアゾ化の間に用いられる酸のアニオンである）
のジアゾ化合物と、本発明による一般式（Ｖ）の色素の形成下、５．０と９．０との値の間にあるほぼ中性のｐＨにて、カップリングする。
【００３２】
本発明による一般式（Ｖ）のトリスアゾ色素は、セルロース含有材料、紙、綿、ビスコース、革およびウールを染色するのに用いられ、良好な耐水性および耐光性を有する染色材料を提供する。
【００３３】
実質的な色素による染色のための、好ましくは、規格または規格外の（ｓｉｚｅｄ  ｏｒ  ｕｎｓｉｚｅｄ）紙のバルクまたは表面処理のための、織物および紙産業において周知のあらゆる方法を、トリスアゾ色素に使用することができる。色素はまた、長浴（ｌｏｎｇ  ｌｉｑｕｏｒ）からの抽出（ｅｘｈａｕｓｔｉｏｎ）プロセスによる、または、連続プロセスにおける、綿、ビスコースおよび麻の糸および反物の染色において使用することもできる。
【００３４】
本発明によるトリスアゾ色素は、記録シート、被覆または非被覆紙上へのテキストおよびイメージの記録、天然または合成繊維素材、ナノ多孔質記録シート、革およびアルミニウムの染色または印刷に、特に好適である。
【００３５】
本発明はさらに、少なくとも１つの一般式（Ｖ）のトリスアゾ色素を含む液体色素調製物に関する。かかる液体色素調製物の使用は、紙の染色に、特に好ましい。かかる安定な、液体、好ましくは水性の、濃縮色素調製物は、当該技術分野において周知の方法を用いることによって、好ましくは、好適な溶媒中に溶解することによって、得ることができる。かかる安定な水性の濃縮調製物の、色素合成それ自体の過程における、色素の中間体を単離することのない、例えば、反応液のダイアフィルトレーションによる脱塩工程の後の、調製の可能性は、特に有利である。
【００３６】
一般式（Ｖ）のトリスアゾ色素またはトリスアゾ色素の混合物は、インクジェット印刷用および筆記用具用のインクの調製のための優れた色素である。
【００３７】
本発明による、一般式（Ｖ）のトリスアゾ色素は、さらによりニュートラルな黒色色調を得るために、調色色素、特に、欧州特許出願第０７５５９８４号明細書、欧州特許出願第１２１９６８２号明細書、ならびに米国特許第５０７４９１４号明細書、米国特許第５６８４１４０号明細書および米国特許第５８２４７８５号明細書に記載されるような色素と組み合わせることができる。
【００３８】
かかるインクは、本発明によるトリスアゾ色素の１つ以上を液体水性媒体中に含む。インクは、インクの総重量に基づいて、０．５重量％〜２０重量％、好ましくは０．５重量％〜８重量％のこれらのトリスアゾ色素を含有する。液体媒体は、好ましくは水または水と水混和性有機溶媒との混合物である。好適な溶媒は、例えば、米国特許第４６２６２８４号明細書、米国特許第４７０３１１３号明細書、米国特許第４９６３１８９号明細書および英国特許出願第２２８９４７３号明細書、欧州特許出願第０４２５１５０号明細書および欧州特許出願第０５９７６７２号明細書に示されている。
【００３９】
本発明を以下の実施例によりさらに詳細に記載するが、特許請求の範囲の化合物の範囲をなんら限定するものではない。
【実施例】
【００４０】
実施例１
トリスアゾ色素番号１７を以下のようにして調製した。
【００４１】
色素のジアゾ成分
ジアゾ懸濁液Ａ
３０．８ｇ（０．２２モル）のアミノ安息香酸（９８％ｉｇ）を室温で２００ｍｌの水に懸濁し、次いで、０℃と５℃との間の温度に冷却し、塩酸水溶液（３７％）を０℃と１０℃との間の温度で攪拌しながら１０分間の期間をかけて滴下し、５５ｍｌの亜硝酸ナトリウム水溶液（４Ｎ）を、温度を１０℃より低く維持しながらゆっくりと添加した。その後、攪拌を、１時間０℃と５℃との間の温度で続けた。過剰の亜硝酸を、その後、スルファミン酸との反応により除いた。
【００４２】
式（ＸＸＶ）の色素の調製
２８．３ｇ（０．２モル）の５−メチル−ｏ−アニシジン（９７％）を２００ｍｌの水および２２ｍｌの塩酸水溶液（３７％）に懸濁し、懸濁液を２時間室温で攪拌した。その後、懸濁液を５℃と１０℃との間の温度に冷却した。
【００４３】
ジアゾ懸濁液Ａを５−メチル−ｏ−アニシジンの懸濁液に５℃と１０℃との間の内部温度で３０分間の期間をかけて、水酸化ナトリウム溶液（３０％）の添加によりｐＨを０．５と１との間の値に維持しながら、添加した。添加を終結し、攪拌を１８時間室温で続けた。
【００４４】
沈殿を濾別し、５０ｍｌの３．５％塩酸溶液で洗浄した。乾燥後、４５．７ｇの式（ＸＸＶ）の色素を得た。
【００４５】
【化１５】
0006748093.tif 000026
【００４６】
ジアゾ懸濁液Ｂ
１４．３ｇ（５０ミリモル）の式（ＸＸＶ）の色素を１００ｍｌの水および１０ｍｌのＮ−メチルピロリドンに、ｐＨをＮａＯＨ３０％溶液の添加により９．０の値に調整することにより、８０℃で溶解した。
【００４７】
得られた溶液を次いで０℃〜５℃に冷却し、１２．５ｍｌの亜硝酸ナトリウム水溶液（４Ｎ）を添加した。攪拌しながら、１３ｍｌの塩酸水溶液（３７％）を１０分間の期間をかけて０℃と１０℃との間の温度でゆっくりと滴下した。添加を終結し、攪拌をこの温度で２時間続けた。過剰の亜硝酸をその後、スルファミン酸との反応により除いた。
【００４８】
式（ＸＸＶＩ）のジアゾ色素の調製
２１．３ｇ（５０ミリモル）のＫ酸（ＣＡＳ：１３０−２３−４）（７５％）を、２００ｍｌの水および５ｍｌの水酸化ナトリウム水溶液（３０％）に懸濁した。懸濁液を次いで３０分間室温で攪拌し、次いで５℃に冷却した。
【００４９】
ジアゾ懸濁液Ｂをこの懸濁液に、３０分間の期間をかけて５℃と１０℃との間の内部温度で、ｐＨを酢酸ナトリウムの飽和溶液を同時に添加することにより１と２との間の値に維持しながら添加した。添加を終結し、攪拌を１８時間室温で続けた。濃厚懸濁液を次いで８０℃に加熱し、水酸化ナトリウム溶液（３０％）の添加によりｐＨを９の値に調整して、溶液にした。熱い溶液を次いでセライトで清澄に濾過した。濾液に含有される色素（ＸＸＶＩ）を次いで、ｐＨを酢酸の添加により６の値に低下させ、１０ｇの塩化ナトリウムを添加することによって、沈殿させた。
【００５０】
中間体色素（ＸＸＶＩ）を次いで濾別し、５０ｍｌの水で洗浄した。乾燥後、２６．４ｇの式（ＸＸＶＩ）の色素を得た。
【００５１】
【化１６】
0006748093.tif 000027
【００５２】
ジアゾ懸濁液Ｃ
３０．８ｇ（０．２２モル）の４−アミノ安息香酸（９８％）を２００ｍｌの水に懸濁し、次いで５℃と１０℃との間の温度に冷却した。５０ｍｌの塩酸水溶液（３７％）を懸濁液に、１０分間の期間をかけて攪拌しながら滴下し、５５ｍｌの亜硝酸ナトリウム水溶液（４Ｎ）を０℃と１０℃との間の温度を維持しながらゆっくりと添加した。過剰の亜硝酸をスルファミン酸との反応により除いた。
【００５３】
トリスアゾ番号１７（１７）の調製
７．４ｇ（１２ミリモル）の式（ＸＸＶＩ）の色素を１００ｍｌの水に懸濁し、０℃〜５℃に冷却した。その後、１２ミリモルのジアゾ懸濁液Ｃを、懸濁液に、３０分間の期間をかけて、温度を５℃より低く維持し、ｐＨを水酸化ナトリウム溶液（２０％）の同時添加により６．０〜７．５の値に維持しながら、ゆっくりと添加した。
【００５４】
添加を終結し、攪拌を２時間０℃と５℃との間の温度で続け、次いで室温まで昇温させた。２時間後、暗色溶液を清澄に濾過し、濾液をロータリーエバポレーターにより濃縮した。色素番号１７を次いでメタノールの添加により沈殿させ、濾別した。
【００５５】
未精製の色素を６０ｍｌのエタノール水溶液（８０％）により精製した。乾燥後、そのナトリウム塩の形態における６ｇの色素１７を得た。
【００５６】
本発明によるトリスアゾ色素番号（１０）〜（１６）および（１８）〜（４０）は、例えば、トリスアゾ色素番号（３１）〜（４０）に関して以下に概要を述べるように、適切な出発物質を用いることにより、同様にして調製することができる。
【００５７】
（Ａ）の調製は式（ＸＸＶＩ）の色素の調製と同様である（ｉｄｅｍ）。しかし、３−アミノ安息香酸およびｍ−トルイジンを、４−アミノ安息香酸および５−メチル−ｏ−アニシジンの代わりに、それぞれ用いた。
【００５８】
【化１７】
0006748093.tif 000028
【００５９】
（Ｂ）の調製は式（ＸＸＶＩ）の色素の調製と同様である。しかし、ｍ−トルイジンを５−メチル−ｏ−アニシジンの代わりに用いた。
【００６０】
【化１８】
0006748093.tif 000029
【００６１】
（Ｃ）の調製は式（ＸＸＶＩ）の色素の調製と同様である。しかし、２，５−ジスルホン酸アニリン（ｄｉｓｕｌｆｏｎｉｃ  ａｎｉｌｉｎｅ）を４−アミノ安息香酸の代わりに用いた。
【００６２】
【化１９】
0006748093.tif 000030
【００６３】
（Ｄ）の調製は式（ＸＸＶＩ）の色素の調製と同様である。しかし、３−アミノベンゼンスルホン酸およびｍ−メトキシアニリンを、４−アミノ安息香酸および５−メチル−ｏ−アニシジンの代わりにそれぞれ用いた。
【００６４】
【化２０】
0006748093.tif 000031
【００６５】
（Ｅ）の調製は式（ＸＸＶＩ）の色素の調製と同様である。しかし、４−［（４−アミノ−３−ニトロフェニル）アミノ］−４−オキソブタン酸およびｍ−トルイジンを、４−アミノ安息香酸および５−メチル−ｏ−アニシジンの代わりにそれぞれ用いた。
【００６６】
【化２１】
0006748093.tif 000032
【００６７】
実施例２：化合物３１
ジアゾ（Ｃ）および４−ニトロアニリン２スルホン酸を実施例１のジアゾ（ＸＸＶＩ）および４−アミノ安息香酸の代わりに用いた。
【００６８】
【化２２】
0006748093.tif 000033
【００６９】
実施例３：化合物３２
ジアゾ（Ｄ）を実施例２のジアゾ（Ｃ）の代わりに用いた。
【００７０】
【化２３】
0006748093.tif 000034
【００７１】
実施例４：化合物３３
ジアゾ（Ａ）を実施例２のジアゾ（ｃ）の代わりに用いた。
【００７２】
【化２４】
0006748093.tif 000035
【００７３】
実施例５：化合物３４
４−［（４−アミノ−３−ニトロフェニル）アミノ］−４−オキソブタン酸を実施例４の４−ニトロアニリン２スルホン酸の代わりに用いた。
【００７４】
【化２５】
0006748093.tif 000036
【００７５】
実施例６：化合物３５
ジアゾ（Ｅ）を実施例５のジアゾ（Ａ）の代わりに用いた
【００７６】
【化２６】
0006748093.tif 000037
【００７７】
実施例７：化合物３６
ジアゾ（Ｂ）を実施例５のジアゾ（Ａ）の代わりに用いた。
【００７８】
【化２７】
0006748093.tif 000038
【００７９】
実施例８：化合物３７
４−ニトロアニリン２スルホン酸を実施例７の４−［（４−アミノ−３−ニトロフェニル）アミノ］−４−オキソブタン酸の代わりに用いた。
【００８０】
【化２８】
0006748093.tif 000039
【００８１】
実施例９：化合物３８
ジアゾ（Ａ）および２−ニトロアニリン４−スルホン酸を、実施例８のジアゾ（Ｂ）および４−ニトロアニリン２−スルホン酸の代わりにそれぞれ用いた。
【００８２】
【化２９】
0006748093.tif 000040
【００８３】
実施例１０：化合物３９
４−［（４−アミノ−３−ニトロフェニル）アミノ］−４−オキソブタン酸を実施例９の２−ニトロアニリン４スルホン酸の代わりに用いた。
【００８４】
【化３０】
0006748093.tif 000041
【００８５】
実施例１１：化合物４０
３−｛３−［（４−アミノ−３−ニトロフェニル）アミノ］−３−オキソプロポキシ｝プロパン酸を実施例７の４−［（４−アミノ−３−ニトロフェニル）アミノ］−４−オキソブタン酸の代わりに用いた。
【００８６】
【化３１】
0006748093.tif 000042
【００８７】
インク調製の実施例
本発明を、インクに関する限り、表１に列挙する本発明によるトリスアゾ色素、および現状技術を代表する色素を使用して、以下の実施例により説明する。各色素について、１００ｇのインクを、必要量の色素（４〜９ｇ）、プロピレングリコール（５ｇ）、ブチルカルビトール（５ｇ）、Ｓｕｒｆｉｎｏｌ４６５（０．５ｇ、Ａｉｒ  Ｐｒｏｄｕｃｔｓ（登録商標）から入手可能）および殺生物剤Ｍｅｒｇａｌ  Ｋ１０Ｎ溶液（０．２ｇ、Ｒｉｅｄｅｌ−ｄｅ−Ｈａeｎ、ゼールツェ、ドイツから入手可能）を水とともにおよそ１時間攪拌しながら５０℃の温度に加熱することにより調製した。結果として得られた溶液を２０℃の温度に冷却し、そのｐＨ値を７．５に調整し、溶液を０．５μｍ細孔径のＭｉｌｌｉｐｏｒｅ（登録商標）フィルタを通過させた。色素量を、印刷イメージの光学密度がすべての色素について同様となるように調整した。
【００８８】
記録液塗布の実施例
記録液をその後、インクジェットプリンタＣａｎｏｎ  Ｐｉｘｍａ  ＩＰ４３００を用いて以下の記録シート上に印刷した：
１）ＳＴＡＲＴ（登録商標）ＰＲＩＮＴ  ＩＴ  ＡＬＬ高容量印刷用紙（７５ｇ／ｍ２）
および、
２）ＨＰ（登録商標）印刷用紙（ＣＨＰ１５０）。
【００８９】
試験
（Ａ）耐光性
印刷したサンプルを６５００Ｗのキセノンランプを備えたＷｅａｔｈｅｒ−Ｏｍｅｔｅｒ（登録商標）Ｃｉ４０００（Ａｔｌａｓ  Ｍａｔｅｒｉａｌ  Ｔｅｓｔｉｎｇ  Ｔｅｃｈｎｏｌｏｇｙ、シカゴ、米国から入手可能）を用いて、２０℃の温度および５０％の相対湿度にて、２０メガルクス時間の照明に達するまで照射した。密度低下をデンシトメーターＳｐｅｃｔｒｏｌｉｎｏ（登録商標）により測定した。初期密度のパーセント密度低下は、印刷した記録シート上の色素の耐光性の指標を与える。
【００９０】
（Ｂ）色座標
印刷したサンプルの色座標Ｌ＊ａ＊ｂ＊を、分光光度計Ｓｐｅｃｔｒｏｌｉｎｏ（登録商標）（Ｇｒｅｔａｇ  Ｍａｃｂｅｔｈ、レーゲンスドルフ、スイスから入手可能）によって測定した。
【００９１】
（Ｃ）耐水性
パターンを記録媒体１および２上に印刷し、ＩＳＯ試験１８９３５：２００５（Ｅ）、方法３−水浸漬に記載されているようにして、以下の点を相違させて試験した。
ａ．本試験における浸漬時間は、ＩＳＯ１８９３５：２００５（Ｅ）では、浸漬時間が１時間と設定されているのと比較して、１分間に設定した；
ｂ．黒色パターンのみを上記の手順に従って調製する。
【００９２】
まず、サンプル上の着色したパターンの光学密度（非浸漬パターンＯＤ）をＳｐｅｃｔｒｏｌｉｎｏ（登録商標）デンシトメーターにより、サンプルに印刷してから１日後に測定した。次いで、パターンを有するサンプルを脱イオン水に環境温度で１分間浸漬した。次いで、パターンを有するサンプルを取り出し、１時間乾燥させるために垂直に吊した。各サンプルについて別々の容器を用いて相互汚染を避けた。着色した水処理パターンの光学密度（浸漬パターンＯＤ）をＳｐｅｃｔｒｏｌｉｎｏ（登録商標）デンシトメーターによって測定した。計算パーセント耐水性を下記式にしたがって与える。
【数１】
0006748093.tif 000043
【００９３】
光学密度低下の値が低いと、色素の耐水性が良好ということになる。
【００９４】
結果
本発明によるトリスアゾ色素ならびに現状技術を代表するトリスアゾ色素（Ｉ）および（ＩＩ）のＬ＊ａ＊ｂ＊（光源Ｄ６５）の測定値を、表２に列挙する。
【００９５】
【表２】
0006748093.tif 000044
【００９６】
表２における測定Ｌ＊ａ＊ｂ＊値の比較により、本発明によるトリスアゾ色素を含有するインクは、トリスアゾ色素（Ｉ）を含有するインクにより印刷されたイメージ領域と比較して、より低いｂ＊値を有する黒色イメージ領域を与えることが直ちに示される。
【００９７】
本発明によるトリスアゾ色素はそれゆえ、現状技術を代表する色素（ＩＩ）に匹敵する黒色のよりニュートラルな再現を可能とするため、特にインクジェット印刷において好適である。
【００９８】
表３における印刷したサンプルの測定密度低下の比較により、本発明によるトリスアゾ色素（１２）および（１４）は、現状技術を代表するトリスアゾ色素（Ｉ）および（ＩＩ）と比較してかなり向上した耐光性を有することが直ちに示される。
【００９９】
【表３】
0006748093.tif 000045
【０１００】
記録シート１および２上の耐水性（ＷＦ）を表４に列挙する。
【０１０１】
【表４】
0006748093.tif 000046
【０１０２】
それぞれ表３および表４に報告する耐光性および耐水性に関して、色素１２および１４は市販の色素（Ｉ）と比べてかなりより良好な耐光性および耐水性を有し、現状技術を代表する市販の色素（ＩＩ）と比べてさらにより良好な耐光性を有する。
【０１０３】
これは、本発明によるトリスアゾ色素を用いた耐水性インクジェット印刷黒色イメージは、現状技術を代表する既知のトリスアゾ色素を含有する黒色イメージよりもかなり退色しにくいことを意味する。